(57)【要約】  【課題】  画素電位確定後の補償ラインの電位がフレームにより異なるため、常に電位を供給する必要があり低消費電力化の妨げとなっている。  【解決手段】  ゲートラインからの信号により所定の前記能動素子がオンになる以降から、オフになってから所定の時間までの期間は、第１の補償電圧Ｖ３と、前記第１の補償電圧よりも低電圧の第２の補償電圧Ｖ５とを供給する昇降圧回路１０２と、前記補償電圧の供給が停止し、次に前記所定の前記画素電極がオンになるまでの期間は、前記補償電圧の前記高低２種類の電圧Ｖ３，Ｖ５の間にある、前記第１の補償電圧Ｖ３と前記第２の補償電圧Ｖ５との間の電圧の実質上一定圧の補償電圧Ｖ４を供給する補償電源供給手段１００と、前記ソースラインから供給される信号の極性変化に応じて、前記高低２種類のいずれかの電圧を選択して出力する選択出力手段１０１とを備えた。【選択図】  図３
2005173245.tif 000002
【特許請求の範囲】
【請求項１】
マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルの前記補償ラインに電圧を供給する電源装置であって、
前記ゲートラインからの信号により所定の前記能動素子がオンになる以降から、オフになってから所定の時間までの期間は、第１の補償電圧と、前記第１の補償電圧よりも低電圧の第２の補償電圧とを供給する第１の補償電圧出力手段と、
前記第１の補償電圧または第２の補償電圧の供給が停止し、次に前記所定の前記能動素子がオンになるまでの期間は、前記第１の補償電圧と前記第２の補償電圧との間の電圧の、実質上一定圧の第３の補償電圧を供給する第２の補償電圧出力手段と、
前記ソースラインから供給される信号の極性変化に応じて、前記第１の補償電圧または前記第２の補償電圧のいずれかを選択して出力する選択出力手段とを備えた電源装置。
【請求項２】
前記第２の補償電圧出力手段は、前記第３の補償電圧として、前記液晶表示パネルに複数の電圧を供給される手段のうち、前記電源装置以外の手段から供給される複数の電圧のいずれかを用いる請求項１に記載の電源装置。
【請求項３】
前記第１の補償電圧または前記第２の補償電圧により、前記液晶表示パネルの表示素子の画素電位の変化を制御する請求項２に記載の電源装置。
【請求項４】
前記第３の補償電圧は、接地電位である請求項１から３のいずれかに記載の電源装置。
【請求項５】
マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルと、
前記ゲートラインおよびソースラインにそれぞれ対応した信号を入力する第１の信号入力手段と、
前記補償ラインに信号を入力する第２の信号入力手段とを備え、
前記第２の信号入力手段として、請求項１から３のいずれかに記載の電源装置と備えた液晶表示装置。
【請求項６】
マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルの前記補償ラインに電圧を供給する電源供給方法であって、
前記ゲートラインからの信号により所定の前記能動素子がオンになる以降から、オフになってから所定の時間までの期間は、第１の補償電圧と、前記第１の補償電圧よりも低電圧の第２の補償電圧とを供給する第１の補償電圧出力工程と、
前記第１の補償電圧または第２の補償電圧の供給が停止し、次に前記所定の前記能動素子がオンになるまでの期間は、前記第１の補償電圧と前記第２の補償電圧との間の電圧の、実質上一定圧の第３の補償電圧を供給する第２の補償電圧出力工程と、
前記ソースラインから供給される信号の極性変化に応じて、前記第１の補償電圧または前記第２の補償電圧のいずれかを選択して出力する選択出力工程とを備えた電源供給方法。
【発明の詳細な説明】
【技術分野】
【０００１】
本発明は、アクティブマトリクス素子とゲートライン、ソースライン及び補償ラインを備えた液晶表示装置およびその補償ラインに電源を供給する電源装置等に関する。
【背景技術】
【０００２】
従来の液晶表示装置の動作について図を用いて説明する。図４及び図５はそれぞれ従来の液晶表示装置の一部およびその動作を説明するものである（例えば、特許文献１を参照）。図４は独立ＣＣ駆動の画素部等価回路を示すもので、１１はゲートライン、１２はソースライン、１３はＴＦＴ、１４は画素電位、１５は蓄積容量、１６は液晶容量、１７は補償ラインである。
【０００３】
図５はゲートライン１１及び補償ライン１７の電位の時間変化を示すもので、１８はゲートラインの電位の時間変化、１９は補償ラインの電位の時間変化、ｔ１１及びｔ１４はゲート電位の立ち上がり、ｔ１２及びｔ１５はゲート電位の立ち下がり、ｔ１３は補償電位の立ち上がり、ｔ１６は補償電位の立ち下がりである。（ｔ２＞ｔ１、ｔ５＞ｔ４）Ｖ１１はＴＦＴのＯＮ電位、Ｖ１２はＴＦＴのＯＦＦ電位、Ｖ１３は補償電位のＨｉ側電位、Ｖ１４は補償電位のＬｏ側電位である。
【０００４】
まず、液晶に印加される電位が正の場合について説明する。ゲートライン１１の電位１７を時刻ｔ１においてＶ１２からＶ１１に変化させＴＦＴ３をＯＮし画素電位４を書き込み後、時刻ｔ２においてＶ１１からＶ１２に変化させＴＦＴ２をＯＦＦとする。このとき、補償ライン１７の電位１９は、時刻ｔ１２でＶ１４、時刻ｔ１３でＶ１４からＶ１３へと変化する。このとき画素電極と補償ラインで形成される蓄積容量１５のカップリングにより画素電位１４が正方向に変化し対抗電極と画素電極の電位差を拡大させる。これにより限られたソース電位の振幅で所望の画素電位１４を得ることが出来る（時刻ｔ１４，ｔ１５，１６では、液晶に印加される電位が負の場合で、時刻ｔ１６で補償ライン１７の電位１９をＶ１３からＶ１４に変化させることで画素電位１４を負方向に変化させ図示しない対向電極と画素電極の電位差を拡大させている。）。
【特許文献１】特開平０２−００９１３号公報
【発明の開示】
【発明が解決しようとする課題】
【０００５】
従来の技術は以上のようなものであるが、上記のような液晶表示装置においては、補償ライン１７からの電位が寄与する対向電極の電位を得るための昇圧回路や、フリッカーを調整するための対向電位の調整回路が必要であった。
【０００６】
このとき、上記方法では、Ｖ１４（又はＶ１３）をＧＮＤ等の、昇圧回路で作られる電位以外とした場合でも、交流化の正負により２フレームに１フレームは常にＶ１３（又はＶ１４）を出力する必要があり、１ラインに注目した場合２フレームに１フレームは常にＶ１３（又はＶ１４）供給する必要がある。すなわち１Ｈライン反転駆動の場合には全補償ラインの半数は常にＶ１３（又はＶ１４）を供給する必要があることになる。補償ライン１７には部分表示時の非表示期間やフレームの最終から次のフレームの開始まで等、表示には無関係の期間も昇圧回路で作った電位を維持する必要があるため、補償ライン１７から入力される補償電位は少なくとも高低２種類必要となり、しかも少なくともこの一方の電圧を作り出して維持する必要がある。この昇圧回路を用いた補償電位の生成は液晶表示装置の消費電力を高くすることにつながっていた。
【０００７】
本発明はこのような課題に鑑みてなされたもので、従来の液晶表示装置に比べ低消費電力な液晶表示装置を提供することを目的とする。
【課題を解決するための手段】
【０００８】
上記の目的を達成するために、第１の本発明は、マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルの前記補償ラインに電圧を供給する電源装置であって、
前記ゲートラインからの信号により所定の前記能動素子がオンになる以降から、オフになってから所定の時間までの期間は、第１の補償電圧と、前記第１の補償電圧よりも低電圧の第２の補償電圧とを供給する第１の補償電圧出力手段と、
前記第１の補償電圧または第２の補償電圧の供給が停止し、次に前記所定の前記能動素子がオンになるまでの期間は、前記第１の補償電圧と前記第２の補償電圧との間の電圧の、実質上一定圧の第３の補償電圧を供給する第２の補償電圧出力手段と、
前記ソースラインから供給される信号の極性変化に応じて、前記第１の補償電圧または前記第２の補償電圧のいずれかを選択して出力する選択出力手段とを備えた電源装置である。
【０００９】
また、第２の本発明は、前記第２の補償電圧出力手段は、前記第３の補償電圧として、前記液晶表示パネルに複数の電圧を供給される手段のうち、前記電源装置以外の手段から供給される複数の電圧のいずれかを用いる第１の本発明の電源装置である。
【００１０】
また、第３の本発明は、前記第１の補償電圧または前記第２の補償電圧により、前記液晶表示パネルの表示素子の画素電位の変化を制御する第２の本発明の電源装置である。
【００１１】
また、第４の本発明は、前記第３の補償電圧は、接地電位である第１から第３のいずれかの本発明の電源装置である。
【００１２】
また、第５の本発明は、マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルと、
前記ゲートラインおよびソースラインにそれぞれ対応した信号を入力する第１の信号入力手段と、
前記補償ラインに信号を入力する第２の信号入力手段とを備え、
前記第２の信号入力手段として、第１から第３のいずれかの本発明の電源装置と備えた液晶表示装置である。
【００１３】
また、第６の本発明は、マトリックス状に配置されたゲートラインおよびソースラインと、前記ゲートラインに対応して配置された補償ラインと、前記ゲートラインおよび前記ソースラインからの信号が入力される能動素子を含む表示素子と、前記補償電圧が供給される補償キャパシタとを少なくとも有する独立ＣＣ（Ｃｈａｒｇｅ−Ｃｏｕｐｌｉｎｇ）駆動用の液晶表示パネルの前記補償ラインに電圧を供給する電源供給方法であって、
前記ゲートラインからの信号により所定の前記能動素子がオンになる以降から、オフになってから所定の時間までの期間は、第１の補償電圧と、前記第１の補償電圧よりも低電圧の第２の補償電圧とを供給する第１の補償電圧出力工程と、
前記第１の補償電圧または第２の補償電圧の供給が停止し、次に前記所定の前記能動素子がオンになるまでの期間は、前記第１の補償電圧と前記第２の補償電圧との間の電圧の、実質上一定圧の第３の補償電圧を供給する第２の補償電圧出力工程と、
前記ソースラインから供給される信号の極性変化に応じて、前記第１の補償電圧または前記第２の補償電圧のいずれかを選択して出力する選択出力工程とを備えた電源供給方法である。
【００１４】
以上のような本発明によれば、例えば、前期補償ラインの電位を部分表示時の非表示期間やフレームの最終から次のフレームの開始まで等、表示には無関係の期間において、ＧＮＤ等の外部からの供給される電位にすることで、前期期間において昇圧回路で作られる電位の供給を停止し低消費電力化することができる。
【発明の効果】
【００１５】
以上説明したように本発明は、従来に比べ低消費電力化を実現し、さらに、対向電圧を生成したり、調節するための回路を別途用意する必要もなく、より簡素化した構成の液晶表示装置を提供することができる。
【発明を実施するための最良の形態】
【００１６】
以下、本発明の実施の形態について、図１、図２および図３を参照しながら詳細に説明する。
【００１７】
図１は独立ＣＣ駆動を行う液晶表示パネルの画素部等価回路を示すもので、１はゲートライン、２はソースライン、３はＴＦＴ、４は画素電位、５は蓄積容量、６は液晶容量、７は補償ラインである。
【００１８】
また、図２は図１の液晶表示パネルを駆動させる電源装置等を含む液晶表示装置の全体図であり、図において図１と同一部または相当部には同一符号を付し、詳細な説明は省略する。また、ソースドライバ１０４はソースライン２に信号を出力する手段であり、ゲートドライバ１０５はゲートライン１に信号を出力する手段である。なお、ＴＦＴ３，蓄積容量５、液晶容量６は画素１０６を構成する。
【００１９】
また、ソース／ゲート制御手段１０３は、外部電源ＶＣＣから電力の供給を受けて、ソースドライバ１０４およびゲートドライバ１０５を駆動させる信号を出力する手段であり、接地電圧を有する接地部１０３ａを有している。
【００２０】
また、ゲートドライバ１０５は、補償ライン７に信号を出力する手段を兼ねており、補償電源供給手段１００から駆動電圧の供給を受けて動作する。
【００２１】
補償電源供給手段１００において、１０２は外部電源ＶＣＣの電圧を昇圧または降圧する昇降圧回路、バイパス線１００ａは、ソース／ゲート制御手段１０３内の電圧を与える手段、選択出力手段１０１は、ソース／ゲート制御手段１０３の動作状態に基づき、昇降圧回路１０２またはバイパス線１００ａのいずれかをゲートドライバ１０５と選択的に接続する手段である。
【００２２】
また、図２はゲートライン１及び補償ライン７の電位の時間変化を示すもので、８はゲートライン１の電位の時間変化、９は補償ライン７の電位の時間変化、ｔ１及びｔ４はゲート電位の立ち上がり、ｔ２及びｔ５はゲート電位の立ち下がり、ｔ３は補償電位の立ち上がり、ｔ６は補償電位の立ち下がりである。（ｔ２＞ｔ１、ｔ５＞ｔ４）Ｖ１はＴＦＴ３のＯＮ電位、Ｖ２はＴＦＴ３のＯＦＦ電位、Ｖ３は補償電位のＨｉ側電位、Ｖ４は補償電位の中間電位（Ｖ３＞Ｖ４＞Ｖ５）、Ｖ５は補償電位のＬｏ側電位である。
【００２３】
以上のような構成を有する、本発明の実施の形態による液晶表示装置の動作を説明すると共に、これにより本発明の電源供給方法の一実施の形態について説明を行う。
【００２４】
まず、ソースドライバ１０４から画素１０６に印加される電位が正の場合について説明する。ソース／ゲート制御手段１０３の制御により、ゲートドライバ１０５からゲートライン１の電位８を時刻ｔ１においてＶ２からＶ１に変化させ、ＴＦＴ３をＯＮし、ソースドライバ１０４から画素電位４を書き込む。
【００２５】
このとき、補償電源供給手段１００においては、選択出力手段１０１が、昇降圧回路１０２とゲートドライバ１０５とを接続する切替を行い、昇降圧手段１０２により、入力電源ＶＣＣを降圧した電圧を印加して、補償ライン７の電位９をＶ５へ変化させる。
【００２６】
次に時刻ｔ２において、ＯＮ時と同様の動作によりゲートライン１の電位８をＶ１からＶ２に変化させＴＦＴ３をＯＦＦとする。このとき、補償ライン７の電位９は、時刻ｔ２でＶ５に保たれるが、時刻ｔ３でＶ５からＶ４へと変化し、次にゲートラインの電位８が変化するまで、Ｖ４のまま保たれる。
【００２７】
電位９の値Ｖ５からＶ４への変化は、補償電源供給手段１００において、選択出力手段１０１が、ゲートドライバ１０５の出力先を、昇降圧回路１０２からバイパス線１００ａへ変更することにより行われる。すなわち、電位Ｖ４は、ソース／ゲート制御手段１３０の内部電圧として供給されることになる。
【００２８】
上記の電位変化に基づき、画素電極と補償ライン７で形成される蓄積容量５のカップリングにより画素電位４を正方向に変化させ対向電極と画素電極の電位差を拡大させる。これにより限られたソース電位の振幅で所望の画素電位４を得ることが出来る。
【００２９】
次に、ソースドライバ１０４から画素１０６に印加される電位が反転する場合は、以下のようになる。ソース／ゲート制御手段１０３の制御により、ゲートドライバ１０５からゲートライン１の電位８を時刻ｔ４においてＶ２からＶ１に変化させ、ＴＦＴ３をＯＮし、ソースドライバ１０４から画素電位４を書き込む。
【００３０】
このとき、補償電源供給手段１００においては、選択出力手段１０１が、昇降圧回路１０２とゲートドライバ１０５とを接続する切替を行い、昇降圧手段１０２により、入力電源ＶＣＣを昇圧した電圧を印加して、補償ライン７の電位９をＶ３へ変化させる。
【００３１】
次に時刻ｔ５において、ＯＮ時と同様の動作によりゲートライン１の電位８をＶ１からＶ２に変化させＴＦＴ３をＯＦＦとする。このとき、補償ライン７の電位９は、時刻ｔ５でＶ３に保たれるが、時刻ｔ６でＶ３からＶ４へと変化する。
電位９の値Ｖ３からＶ４への変化は、補償電源供給手段１００において、選択出力手段１０１が、ゲートドライバ１０５の出力先を、昇降圧回路１０２からバイパス線１００ａへ変更することにより行われる。すなわち、電位Ｖ４は、ソース／ゲート制御手段１３０の内部電圧として供給されることになる。
【００３２】
上記の電位変化に基づき、画素電極と補償ライン７で形成される蓄積容量５のカップリングにより画素電位４を負方向に変化させ対向電極と画素電極の電位差を拡大させる。これにより限られたソース電位の振幅で所望の画素電位４を得ることが出来る。
【００３３】
このとき、画素６の点灯時に常時供給される補償電圧となる電位Ｖ４は、画素６の交流化の正負に関わらず、表示画像の各フレームの実質的な表示時間、すなわち、あるフレームの表示の終わりから、次のフレームの表示の開始まで一定である。
【００３４】
さらにこの補償電圧は、昇降圧回路１０２で作られる電位以外の外部から供給される電位であって、昇降圧回路１０２から供給される高低２種類の電圧（すなわち電位Ｖ３およびＶ４）の間にある電圧であれば、任意の値の電圧を供給することができる。特に、バイパス線１００ａが接地部１０３ａと接続している場合は、電位Ｖ４として接地電位ＧＮＤを用いることができ、従来例に比してさらに大きな低消費電力化が可能となり、望ましい。
【００３５】
また、フレームの最終から次のフレームの開始まで、もしくは部分表示の非表示開始から非表示終了まで等も、昇降圧回路１０２で作られる電位以外の、外部から供給されるＧＮＤ等の電位を供給し、昇降圧回路１０２は停止することが出来る。
【００３６】
さらにこのとき、図示しない対向電極の電位を、図示しない電源電圧等の別途昇圧回路で作りだされる電位以外で供給し、フリッカーを補償電源供給手段１００から出力される各電位、すなわち昇降圧回路１０２が生成する高低２種類の電圧およびバイパス線１００ａから取り出される電圧（図２ではそれぞれＶ３，Ｖ５、Ｖ４がこれらに対応する）で調整することにより、対向電極の電位を得るための昇圧回路やフリッカーを調整するための対向電位の調整回路は不要となり、さらなる低消費電力化が可能となる。
【００３７】
なお、補償ライン７の電位９は時刻ｔ１（ｔ４）で変化させる必要はなくても、時刻ｔ２（またはｔ５）における画素電位４に影響がなければｔ１〜ｔ２（またはｔ４〜ｔ５）の間の任意の期間で変化させればよい。要するに、ゲートライン１からの信号により所定のＴＦＴ３がオンになる以降から、オフになってから所定の時間までの期間であればよい。
【００３８】
なお、上記の実施の形態において、補償電源供給手段１００は本発明の電源装置および第２の信号入力手段に相当し、昇降圧回路１０２は本発明の第１の補償電圧出力手段に相当し、バイバス線１００ａおよびソース／ゲート制御手段１０３は本発明の第２の補償電圧出力手段に相当し、選択出力手段１０１は本発明の選択出力手段に相当する。また、ソース／ゲート制御手段１０３は本発明の電源装置以外の手段に相当するとともに、第１の信号入力手段に相当する。
【００３９】
また、昇降圧回路１０２から供給される電圧は本発明の第１の補償電圧または第２の補償電圧に相当し、バイパス線１００ａから供給される電圧は本発明の補償電圧に相当する。
【００４０】
また、ソースドライバ１０４、ゲートドライバ１０５、ソースライン２，ゲートライン１，補償ライン７および画素１０６は本発明の液晶表示パネルを構成し、画素１０６のうち補償容量６を除く構成は本発明の表示素子を構成し、補償容量６は本発明の補償キャパシタに相当し、ＴＦＴ３は本発明の能動素子に相当する。
【００４１】
ただし本発明は上記の実施の形態に限定されるものではなく、上記の実施の形態においては、液晶表示装置を例に説明を行ったが、独立ＣＣ駆動する液晶パネルに補償電圧を供給するための電源装置として実現してもよい。この場合、補償電源作成手段１００において、バイパス線１００ａはソース／ゲート制御手段１０３の内部電圧または接地部１０３ａの接地電圧を受けるものとしたが、昇降圧回路１０２から供給される高低２種類の電圧（すなわち電位Ｖ３およびＶ４）の間にある電圧であれば、図示しない他の手段の内部電圧を受けるようにしてもよい。
【００４２】
また、昇降圧回路１０２から得られる高低２種類の電圧の変化は、ソースライン１から供給される信号の変化に応じるものであればよく、一フレームのみならず、複数フレーム毎に変化するものであってもよい。
【００４３】
さらに、上記の説明においては、補償ライン７の電位のＶ４からＶ３（またはＶ５）への切り替えは、時刻ｔ１（またはｔ４）においてそれぞれ行ったが、図中矢印で示すタイミングとなる時刻ｔ１′（またはｔ４′（ｔ１′＜ｔ１、ｔ４′＜ｔ４））で行ってもよい。
【産業上の利用可能性】
【００４４】
本発明にかかる電源装置、液晶表示装置は、従来に比べ低消費電力化を実現する効果を有し、アクティブマトリクス素子とゲートライン、ソースライン及び補償ラインを備えた液晶表示装置およびその補償ラインに電源を供給する電源装置等として有用である。
【図面の簡単な説明】
【００４５】
【図１】本発明の実施の形態の画素部等価回路を示す図
【図２】本発明の実施の形態におけるゲートライン及び補償ラインの電位の時間変化を示す図
【図３】本発明の実施の形態の液晶表示装置の構成図を示す図
【図４】従来の液晶表示装置の画素部等価回路を示す図
【図５】従来のゲートライン及び補償ラインの電位の時間変化を示す図
【符号の説明】
【００４６】
１  ゲートライン（ｎライン目）
２  ソースライン（ｎライン目）
３  ＴＦＴ
４  画素電位
５  蓄積容量
６  液晶容量
７  補償ライン（ｎライン目）
８  ゲートラインの電位の時間変化（ｎライン目）
９  補償ラインの電位の時間変化（ｎライン目）
１１  ゲートライン（ｎライン目）
１２  ソースライン（ｎライン目）
１３  ＴＦＴ
１４  画素電位
１５  蓄積容量
１６  液晶容量
１７  補償ライン（ｎライン目）
１８  ゲートラインの電位の時間変化（ｎライン目）
１９  補償ラインの電位の時間変化（ｎライン目）
ｔ１  ゲート電位の立ち上がり
ｔ２  ゲート電位の立ち下がり
ｔ３  補償電位の立ち上がり
ｔ４  ゲート電位の立ち上がり
ｔ５  ゲート電位の立ち下がり
ｔ６  補償電位の立ち下がり
Ｖ１  ＦＴのＯＮ電位
Ｖ２  ＴＦＴのＯＦＦ電位
Ｖ３  補償電位のＨｉ側電位
Ｖ４  補償電位の中間電位
Ｖ５  補償電位のＬｏ側電位
ｔ１１  ゲート電位の立ち上がり
ｔ１２  ゲート電位の立ち下がり
ｔ１３  補償電位の立ち上がり
ｔ１４  ゲート電位の立ち上がり
ｔ１５  ゲート電位の立ち下がり
ｔ１６  補償電位の立ち下がり
Ｖ１１  ＴＦＴのＯＮ電位
Ｖ１２  ＴＦＴのＯＦＦ電位
Ｖ１３  補償電位のＨｉ側電位
Ｖ１４  補償電位のＬｏ側電位
１００  補償電源供給手段
１０１  画像データ解析手段
１０２  昇降圧回路
１０３  ソース／ゲート制御手段
１０４  ソースドライバ
１０５  ゲートドライバ
１０６  画素
【図１】
2005173245.tif 000003
【図２】
2005173245.tif 000004
【図３】
2005173245.tif 000005
【図４】
2005173245.tif 000006
【図５】
2005173245.tif 000007